【手続補正書】
【提出日】平成19年7月4日(2007.7.4)
【手続補正１】
【補正対象書類名】特許請求の範囲
【補正対象項目名】全文
【補正方法】変更
【補正の内容】
【特許請求の範囲】
【請求項１】
複数のカルボキシル基をもつ有機酸のカルシウム塩、リン酸系カルシウム塩または錯塩化合物等のセメント結晶増殖作用を有する材料を主成分とし、かつ粉粒状としてなることを特徴とするコンクリート用混和材。
【請求項２】
請求項１のコンクリート用混和材を、セメント、骨材、水等のコンクリート用材料と混練して均等またはほぼ均等に分散させてなることを特徴とする高耐久性コンクリート材。
【請求項３】
請求項２の高耐久性コンクリート材を用いてなることを特徴とするコンクリート構造物。
【請求項４】
請求項１のコンクリート用混和材を、硬化したコンクリート打設面に吹き付け塗布することを特徴とするコンクリート構造物の劣化抑止方法。
【手続補正２】
【補正対象書類名】明細書
【補正対象項目名】発明の名称
【補正方法】変更
【補正の内容】
【発明の名称】コンクリート用混和材、高耐久性コンクリート材、コンクリート構造物及びコンクリート構造物の劣化抑止方法
【手続補正３】
【補正対象書類名】明細書
【補正対象項目名】０００４
【補正方法】変更
【補正の内容】
【０００４】
硬化後のコンクリートを、不透水かつ高耐久コンクリート化するための改質材としては、コンクリート表面への珪酸質系モルタルの塗布、漏水部への急結性モルタルの充填の他、被覆材の表面塗布あるいは欠損部の充填を行うことがあるが、これらによって水密性を高め、止水性能を保持し、劣化損傷を抑止するという長期的な効果は期待できない。
【手続補正４】
【補正対象書類名】明細書
【補正対象項目名】０００６
【補正方法】変更
【補正の内容】
【０００６】
上述したような塗布タイプの改質材は、セメント結晶増殖力をもち得るが、打設コンクリートの表面に後施工することになり、また充填タイプも打設コンクリート表面に削孔した後に充填する後施工タイプであり、新設するコンクリート構造物のコンクリートに混和、配合し、コンクリート材とともに打設することでコンクリートの硬化後まで、構造体のひび割れ、漏水を含めた水密性を保持し、劣化損傷を抑止し、コンクリート構造物のメンテナンス・フリー化と長寿命化を達成し得る材料は、本願発明者の知るところではこれまで知られていなかった。
【手続補正５】
【補正対象書類名】明細書
【補正対象項目名】０００７
【補正方法】変更
【補正の内容】
【０００７】
本発明は上記従来の問題点にかんがみ、新設する構造物のひび割れ、漏水、各種劣化損傷に対する予防措置として、また構造物が完成後に発生、進行する漏水や劣化進行に対しても抑止効果を発揮することができる混和型セメント結晶増殖材としてのコンクリート用混和材と、これを用いたコンクリート材、コンクリート構造物及びコンクリート構造物造成方法並びにコンクリート構造物の劣化抑止方法を提供することを目的とする。
【手続補正６】
【補正対象書類名】明細書
【補正対象項目名】０００８
【補正方法】変更
【補正の内容】
【０００８】
本発明の請求項１に係るコンクリート用混和材は、上記目的を達成するために、複数のカルボキシル基をもつ有機酸のカルシウム塩、リン酸系カルシウム塩または錯塩化合物等のセメント結晶増殖作用を有する材料を主成分とし、かつ粉粒状としてなることを特徴とする。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
同請求項２に係る高耐久性コンクリート材は、上記目的を達成するために、請求項１のコンクリート用混和材を、セメント、骨材、水等のコンクリート用材料と混練して均等またはほぼ均等に分散させてなることを特徴とする。
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】変更
【補正の内容】
【００１２】
同請求項３に係るコンクリート構造物は、上記目的を達成するために、請求項２の高耐久性コンクリート材を用いてなることを特徴とする。
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】変更
【補正の内容】
【００１５】
同請求項４に係るコンクリート構造物の劣化抑止方法は、上記目的を達成するために、請求項１のコンクリート用混和材を、硬化したコンクリート打設面に吹き付け塗布することを特徴とする。
【手続補正１４】
【補正対象書類名】明細書
【補正対象項目名】００１７
【補正方法】変更
【補正の内容】
【００１７】
本発明は、混和材が硬化コンクリート内部に拡散し、躯体内空隙、ひび割れ、漏水部位を新たに増殖するセメント結晶によって自癒的に充填、止水し、不透水化することで、コンクリートの中性化、塩害、凍害、化学腐食、アルカリ骨材反応等の劣化損傷要因に対する耐久性に優れたものになるという効果がある。
【手続補正１５】
【補正対象書類名】明細書
【補正対象項目名】００１８
【補正方法】変更
【補正の内容】
【００１８】
本発明に係るコンクリート用混和材の第１実施形態は、セメント結晶増殖作用を有する複数のカルボキシル基をもつ有機酸のカルシウム塩、あるいはリン酸系カルシウム錯塩化合物等を主成分として含有するが多価カルボン酸カルシウム塩等をそのままコンクリート用材料に添加するのではなく、コンクリートミキサーによる混練時に、セメント、骨材、水等のコンクリート用材料、すなわち生コンクリートに混和してもよいものである。
【手続補正１６】
【補正対象書類名】明細書
【補正対象項目名】００１９
【補正方法】変更
【補正の内容】
【００１９】
これにより、生コンクリート材全体に、したがってこれを用いて形成したコンクリート躯体全体に、均一またはほぼ均一にセメント結晶増殖性を有するカルシウム塩あるいはカルシウム錯塩化合物が拡散する。そして本発明のコンクリート用混和材は、水和反応時は未反応の状態を保持し続けるが、コンクリートが水和反応による凝結硬化を経てＣ−Ｓ−Ｈで代表されるセメントゲルとＣａ（ＯＨ）２を生成した後には濃度拡散を開始し、活性シリカと反応して下記反応式（１）によりセメントゲル結晶を生成し、このセメントゲル結晶がコンクリート組織の空孔、空隙内で増殖する。
【手続補正１７】
【補正対象書類名】明細書
【補正対象項目名】００２１
【補正方法】変更
【補正の内容】
【００２１】
（化２）
Ｌ＋ｎＮａ→Ｌ−ｎＮａ
ここでＬ−ｎＮａはリン酸系無機錯塩化合物であり、触媒として作用しながら、反応を逐次継続していき、水に溶けて拡散するが、下記反応式（３）に示すように、カルシウムが豊富にあるＣａ（ＯＨ）２の部位において再びカルシウムと結合する（Ｎａ−Ｃａ置換）。
【手続補正１８】
【補正対象書類名】明細書
【補正対象項目名】００２２
【補正方法】変更
【補正の内容】
【００２２】
（化３）
Ｌ−ｎＮａ＋１／２・ｎＣａ  Ｌ−１／２ｎＣａ＋ｎＮａ
この動きは一連の循環運動であり、繰り返しの結晶形成活動で成長したＣ−Ｓ−Ｈで代表されるセメントゲルが水みちを塞ぐまで緻密化した段階で繰り返しの循環反復反応を休止し、セメントゲル結晶増殖材はそれぞれの位置に止まることとなる。コンクリート躯体の変状により水が浸入した場合、この休止していたセメントゲル結晶増殖材は再度上記反応を再開し、セメント結晶増殖の働きを再開する。この働きは、自癒的結晶増殖作用、自動再活性化作用等と称される。
【手続補正１９】
【補正対象書類名】明細書
【補正対象項目名】００２３
【補正方法】変更
【補正の内容】
【００２３】
本発明に係るコンクリート用混和材を混和して打設したコンクリート構造物は、セメント結晶増殖材の反復増殖性とその増殖反応の自癒的結晶増殖作用によって後発するひびわれ漏水に対して自癒的止水効果を発揮し、水みちの毛細空隙を緻密化し、不透水化してしまう。また各種劣化損傷に対しても長期にわたる劣化抑止効果を発揮し得る。このようなコンクリート躯体の緻密化は、物理的な強度もまた増大させ得る。
【手続補正２０】
【補正対象書類名】明細書
【補正対象項目名】００２４
【補正方法】変更
【補正の内容】
【００２４】
なお、本発明に係るコンクリート用混和材のセメント結晶増殖材の標準組成は、複数のカルボキシル基をもつ有機酸のカルシウム塩やリン酸系カルシウム塩または錯塩化合物を例えば１〜２０％含有するものであるが、カルシウムの反応相手となる反応性シリカ並びにポラゾン物質を加えることにより、さらに性能を向上させることができる。ポルトランドセメントや増量材として硅砂を加えても良い。
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】変更
【補正の内容】
【００２６】
また本発明の第２実施形態として、不連続面であるコンクリート同士の打継部の一部に塗布することにより、打継部空隙をセメントゲル結晶の増殖によって緻密一体化することで、打継部漏水を阻止し劣化を抑止する例を挙げ得る。この形態においても、複数のカルボキシル基をもつ有機酸のカルシウム塩やリン酸系カルシウム塩または錯塩化合物を用いることで、コンクリート打設前に浸入する水や降雨に触媒が流されず、打設後のＣａの濃度拡散によりコンクリート躯体を緻密化できる。もちろんこの実施形態は、硬化後のコンクリート面への塗布吹き付けも可能である。
【手続補正２３】
【補正対象書類名】明細書
【補正対象項目名】００３１
【補正方法】変更
【補正の内容】
【００３１】
【図１】圧縮強度測定装置を示す側面図である。
【図２】試料のクラック幅の調整を示す斜視図である。
【図３】漏水試験器を示す断面図である。
【図４】漏水試験器への試料の取り付けを示す斜視図である。
【図５】実験結果を示す図である。